(57)【特許請求の範囲】
【請求項１】
底板と天板との間に前方に開口する格納空間を有する格納部材と、
この格納部材の格納空間の下部側方を前後方向に水平に延びるガイド面と、このガイド面の延長途上に形成される係合部とを備えるガイド部材と、
前記格納部材の格納空間内に前後方向に並んで前方へ引き出し可能に格納され、それぞれ内部に重量物を収容する直方体状の複数の収納箱と、
この収納箱を一方の手で支持するために、当該収納箱の前部に設けられる固定ハンドルと、
前記収納箱を他方の手で支持するために、当該収納箱の前後方向中間部に起伏自在に設けられ、倒伏位置と起立位置の間で死点を超えていずれかの位置に付勢され、倒伏状態で収納箱と共に前記格納空間に格納される可動ハンドルと、
前記収納箱の後部側面に支持され、前記可動ハンドルの起伏動作に連動して後方の他の収納箱の固定ハンドルに係脱自在で、係合時に前後の収納箱を連結する連結レバーと、
前記収納箱の後部側面に支持され、前記連結レバーを介して前記可動ハンドルの起伏動作に連動し、前記ガイド部材の係合部に係合するロック位置と、それから離脱する非ロック位置との間を移動自在で、ロック位置において前記ガイド部材の係合部に係合して収納箱を引き出し途上で一旦停止させるストッパ部材と、を具備し、
前記固定ハンドルは、一方の手で把持するための握り部と、前方の他の収納箱の前記連結レバーに係脱自在の結合部とを具備し、
前記可動ハンドルは、前記収納箱の側面に枢着され起立位置と倒伏位置との間を収納箱の側面に沿って回動自在の脚板部と、この脚板部に支持される握り部と、脚板部上に設けられ前記連結レバーを駆動する駆動係合部とを具備し、
前記可動ハンドルの脚板部は、先端部とその反対の基端部と両端部間の中間部とを有し、中間部において前記収納箱の側面に枢着され、先端部が収納箱の外側にあるとき引き起こし可能に設けられ、
前記可動ハンドルの握り部は、他方の手で把持できるように、前記脚板部の先端部から水平に延出し、
前記可動ハンドルの駆動係合部は、前記脚板部の基端部に、前記連結レバーに係合するように設けられ、
前記連結レバーは、前方の先端部と、その反対側の後端部と、前後端部の間の中間部とを有し、中間部において前記収納箱の側面に枢着され、当該側面に沿って連結位置と非連結位置の間を回動自在で、連結位置に回転付勢され、
前記連結レバーの先端部には、前記可動ハンドルの起立動作時に当該連結レバーを非連結位置に回転させ、当該可動ハンドルの倒伏動作時に付勢力で当該連結レバーを連結位置に復帰させるように、可動ハンドルの前記駆動係合部に係合する受動係合部を有し、
前記連結レバーの後端部には、当該連結レバーが連結位置にあるとき後方の他の収納箱の前記固定ハンドルの結合部に係合し、当該連結レバーが非連結位置にあるとき当該結合部から離脱するフック部を有し、
前記連結レバーの中間部には、前記ストッパ部材に係合してこれを駆動する駆動係合部を有し、
前記ストッパ部材は、上方の非ロック位置と下方のロック位置との間を前記収納箱の側面に沿って上下動自在に当該側面に支持され、ロック位置に付勢され、ロック位置において前記ガイド部材の係合部に係合し非ロック位置において当該係合部から離脱するストッパ部と、前記連結レバーの駆動係合部に係合する受動係合部とを具備し、
前記ストッパ部材の受動係合部は、前記連結レバーが非連結位置にあるとき当該ストッパ部材を非ロック位置に配置し、連結レバーが連結位置にあるときストッパ部材をロック位置に配置するように連結レバーの前記駆動係合部に係合し、
前記ガイド部材のガイド面は、前記ストッパ部材を非ロック位置においてストッパ部を摺動させるように配置され、
前記ガイド部材の係合部は、前記ストッパ部材のストッパ部が落ち込んで前記収納箱の前進を停止させる係合凹部と、収納箱の後退時に前記ストッパ部材をガイド面へ押し上げて収納箱の後退を許容するように係合凹部の後方に連続して形成された傾斜面とを有することを特徴とする機器格納装置。
【発明の詳細な説明】
【技術分野】
【０００１】
本発明は、コンピュータのバックアップ電源としてのバッテリーのような重量物をラック等に安全に出し入れできるように格納する装置に関する。
【背景技術】
【０００２】
特許文献１には、ターレット車やフォークリフト等の車両用電源としての使用済みのバッテリーを集めてラックに格納し、順次、充電器によって充電して再利用することが記載されている。複数の車両用バッテリーを充電するためのバッテリー充電用ラックは、各バッテリーを前後方向にスライドさせるレールと、各バッテリーの前面にあるバッテリー側充電用コネクタに対して接続可能なラック側充電用コネクタと、ラック側充電用コネクタの接続面をバッテリー側へ付勢する付勢手段と、レール上のバッテリーの位置を固定・解除するロック手段とを備えている。
一方、充電の目的ではないが、コンピュータのバックアップ電源としての多数のバッテリーをラックに、前後方向に出し入れできるように格納することが行われている。この場合、１つの収納箱に複数のバッテリーが、前後方向に並べて収納される。
【先行技術文献】
【特許文献】
【０００３】
【特許文献１】特開２００８−２７８６２５号公報
【発明の概要】
【発明が解決しようとする課題】
【０００４】
上記従来のバックアップ電源としてのバッテリーの格納方法においては、バッテリーが比較的大重量であることから、収納箱をラックに対して出し入れする作業が重労働となる。バッテリーを個別に収納箱に収納して個別の重量を減じ、複数の収納箱を前後に並べてラックに格納しようとすると、ラックの奥に格納されるバッテリーの取り出しが円滑に行えない。また、作業時に収納箱をラックから取り落とすと、バッテリーが破損したり、作業者が負傷したりする事故となるという課題がある。この課題は、バッテリーの格納の場合に限らず、その他各種機器の格納について共通する。
したがって、本発明は、バッテリーのような機器をラック等に安全、容易に出し入れできるように格納する装置を提供することを目的としている。
【課題を解決するための手段】
【０００５】
以下、添付図面の符号を参照して説明するが、本発明はこれに限定されるものではない。
上記課題を解決するための、本発明の機器格納装置１は、底板２１と天板２２との間に前方に開口する格納空間２３を有する格納部材２と、格納部材２に設けられるガイド部材３と、格納部材２の格納空間２３に前後方向に並んで前方へ引き出し可能に格納される複数の収納箱４と、この収納箱４を一方の手で支持するための固定ハンドル５と、収納箱４を他方の手で支持するための可動ハンドル６と、前後の収納箱４ａ、４ｂを連結するためのフック部７３を有する連結レバー７と、安全のために収納箱４の引き出しを一旦停止するストッパ部材８とを具備する。ガイド部材３は、格納部材２の格納空間２３の下部側方を前後方向に水平に延びるガイド面３２と、その途上に設けられる係合部３１とを備える。収納箱４は、概略直方体状で、それぞれ内部にバッテリー等の機器を収容する。固定ハンドル５は、収納箱４の前部に設けられ、一方の手で把持するための握り部５１と、前方の他の収納箱４ａの連結レバー７に係脱自在の結合部５２とを具備する。可動ハンドル６は、脚板部６１と、握り部６２と、駆動係合部６３とを具備し、収納箱４の前後方向中間部に起伏自在に設けられる。可動ハンドル６は、倒伏位置に付勢され、倒伏状態で収納箱４と共に格納空間２３内に格納される。連結レバー７は、収納箱４の後部側面に枢着され、可動ハンドル６の起伏動作に連動して連結位置と非連結位置との間で回動し、後方の他の収納箱４ｂの固定ハンドル５に係合する連結位置に付勢され、連結位置で前後の収納箱を連結する。ストッパ部材８は、収納箱４の後部側面に支持され、連結レバー７を介して可動ハンドル６の起伏動作に連動し、ガイド部材３の係合部３１に係合するロック位置と、それから離脱する非ロック位置との間を移動自在で、ロック位置において収納箱４７を引き出し途上で一旦停止させる。可動ハンドル６の脚板部６１は、中間部において収納箱４の側面に枢着され、起立位置と倒伏位置との間を収納箱４の側面に沿って回動自在で、回動途上で死点を超えて一方の位置に回転付勢される。可動ハンドル６は、それの先端部が収納箱４の外側にあるとき、を引き起こし可能である。可動ハンドル６の握り部６２は、脚板部６１の先端部から水平に延出し、他方の手で把持できる。可動ハンドル６の駆動係合部６３は、連結レバー７の受動係合部７２に係合するように、脚板部６１の後端部上に設けられ、引き起こし時に連結レバー７を駆動する。連結レバー７の受動係合部７２は、可動ハンドル６の起立動作時に連結レバー７を非連結位置に回転させ、可動ハンドル６の倒伏動作時に付勢力で連結レバー７を連結位置に復帰させるように、可動ハンドル６の駆動係合部６３に係合する。連結レバー７のフック部７３は、後端部に設けられ、連結レバー７が連結位置にあるとき、後方の他の収納箱４ｂの固定ハンドルの結合部５２に係合し、連結レバー７が非連結位置にあるとき、結合部５２から離脱する。連結レバー７の中間部には、ストッパ部材８に係合してこれを駆動する駆動係合部７２が設けられる。ストッパ部材８の受動係合部８１は、連結レバー７が非連結位置にあるとき、当該ストッパ部材８を非ロック位置に配置し、連結レバー７が連結位置にあるとき、ストッパ部材８をロック位置に配置するように、連結レバー７の駆動係合部７５に係合する。ガイド部材３のガイド面３２は、ストッパ部材８を非ロック位置においてストッパ部８３を摺動させるように配置される。ガイド部材３の係合部３１は、係合凹部３４と、それの後方に連続して形成された傾斜面を有する。係合凹部３４は、収納箱４の引き出し時に、ストッパ部材８のストッパ部８３を落ち込ませ、可動ハンドル６が引き起こされるまで収納箱４の前進を停止させる。傾斜面３３は、収納箱４の後退時に、ストッパ部材８を係合凹部３４からガイド面３２へ押し上げて収納箱４の後退を許容する。
【発明の効果】
【０００６】
本発明の機器格納装置は、バッテリーのような機器をラック等に安全かつ容易に出し入れできるように格納することができる。
【図面の簡単な説明】
【０００７】
【図１】本発明に係る機器格納装置の斜視図である。
【図２】図１の機器格納装置の正面図である。
【図３】図１の機器格納装置の一部の平面図である。
【図４】収納箱を格納した状態の図１の機器格納装置の側面図である。
【図５】収納箱が引き出し途上で一旦停止した状態の図１の機器格納装置の側面図である。
【図６】可動ハンドルを起こして収納箱を引き出す途上の図１の機器格納装置の側面図である。
【図７】図３におけるVII部分の拡大側面図である。
【発明を実施するための形態】
【０００８】
図面を参照して本発明の実施の形態を説明する。
機器格納装置１は、底板２１と天板２２との間に前方に開口する格納空間２３を有する格納部材２と、この格納部材２に設けられるガイド部材３と、格納部材２の格納空間２３に前後方向に並んで前方へ引き出し可能に格納される複数の収納箱４（４ａ、４ｂ）と、この収納箱４を一方の手で支持するための固定ハンドル５と、収納箱４を他方の手で支持するための可動ハンドル６と、前後の収納箱４ａ、４ｂを連結するためのフック部７３を有する連結レバー７と、安全のために収納箱４の引き出しを一旦停止するストッパ部材８とを具備する。
【０００９】
ガイド部材３は、格納部材２の格納空間２３の下部の左右側方を前後方向に延び、途上に係合部３１を備える。すなわち、ガイド部材３は、前後方向に延びる水平のガイド面３２を有し、それの前方途上に下方へ落ち込む係合部３１が設けられる。係合部３１は、前方下がりの傾斜面３３と、それの前方に続く凹部３４とからなる。
【００１０】
収納箱４は、概略直方体箱状で、それぞれ内部にバッテリー等の機器を収容することができる。
【００１１】
固定ハンドル５は、収納箱４の前部に設けられ、収納箱４を格納空間から前方へ引き出すときに一方の手で把持するための握り部５１と、前方に配置される他の収納箱４ａの連結レバー７に係脱自在の結合部５２とを具備する。すなわち、固定ハンドル５は、収納箱４の前面左右から前方へ延出するブラケット５３間に水平に握り部５１を渡してなる。結合部５２は、ブラケット５３から左右の側方へ突出する結合ピンからなる。
【００１２】
可動ハンドル６は、収納箱４を格納空間から前方へ引き出すときに、他方の手で収納箱４を支持するためのもので、脚板部６１と、握り部６２と、駆動係合部６３とを具備する。可動ハンドル６は、収納箱４の前後方向中間部に枢ピン６４で起伏自在に枢着され、その角度位置により、連結レバー７を介してばね７４でいずれか一方へ回転付勢され、倒伏状態で収納箱４と共に格納空間２３に格納される。
【００１３】
可動ハンドル６は、図７に示すように、先端部が収納箱２の外側にあるとき、引き起こして実線で示すように起立させることができる。可動ハンドル６の回転範囲は、ストッパピン６５によって規制される。握り部６２は、脚板部６１の先端部間に水平に架設され、収納箱４を格納空間から前方へ引き出すときに、他方の手で把持できる。駆動ピンからなる駆動係合部６３は、連結レバー７の受動係合部７２に係合するように、脚板部６１の後端部の側面から突出する。駆動係合部６３は、可動ハンドル６を引き起こす時に、受動係合部７２を介して連結レバー７を駆動する。
【００１４】
図７によく示すように、連結レバー７は、可動ハンドル６の起伏動作に連動して、後方に配置される収納箱４との間を連結したり、切り離したりするもので、中間部において収納箱４の後部側面に枢ピン７１で枢着され、前方端には受動係合部７２を、後方端にはフック部７３を有する。すなわち、連結レバー７は、可動ハンドル６の起伏動作に連動して連結位置と非連結位置との間で回動し、ばね７４によって連結位置へ付勢される。連結レバー７は、連結位置において後方の収納箱４ｂの固定ハンドル５に係合し、前後の収納箱４ａ、４ｂを連結する。
【００１５】
連結レバー７の受動係合部７２は、ばね７４により常時可動ハンドル６の駆動係合部６３に圧接されており、駆動係合部６３の動きに追従する。受動係合部７２は、可動ハンドル６の起立動作時に、駆動係合部６３に押し下げられて連結レバー７を非連結位置（図７における仮想線の位置）に回転させ、また可動ハンドル６の倒伏動作時に、連結レバー７を連結位置（図７における実線の位置）に復帰させる。
【００１６】
連結レバー７のフック部７３は、後端に設けられ、連結レバー７が連結位置（図７における実線の位置）にあるとき、後方の収納箱４の固定ハンドル５の結合部５２に係合し、連結レバー７が非連結位置（図７における仮想線の位置）にあるとき、結合部５２から離脱する。連結レバー７の中間部には、ストッパ部材８の受動係合部８１に係合してこれを駆動する駆動係合部である係合ピン７５が設けられる。
【００１７】
図７によく示すように、ストッパ部材８は、収納箱４の後部側面に支持ピン９で支持され、連結レバー７を介して可動ハンドル６の起伏動作に連動し、ガイド部材３の係合部３１に係合するロック位置（図７における実線の位置）と、それから離脱する非ロック位置との間を上下に移動自在で、ばね８４によりロック位置方向（下方）へ付勢される。ストッパ部材８は、上下に細長の板状部材で、上部に受動係合部８１である矩形の係合開口を有し、中間部に支持ピン９が係合する上下方向の長孔８２を有し、下端部が係合部３１に係脱するストッパ部８３となっている。
【００１８】
受動係合部８１は、連結レバー７が非連結位置（可動ハンドル６が起立位置）にあるとき、ストッパ部材８を非ロック位置に配置し、連結レバー７が連結位置（可動ハンドル６が倒伏位置）にあるとき、ばね力でストッパ部材８をロック位置に配置するように、連結レバー７の係合ピン７５に係合する。すなわち、可動ハンドル６が起立して連結レバー７が非連結位置へ回動し、係合ピン７５が受動係合部８１の上縁を押し上げるとストッパ部材８が上昇し、ストッパ部８３がガイド部材３の係合凹部３４から離脱する。
【００１９】
可動ハンドル６が倒伏して連結レバー７が連結位置へ回動すると、係合ピン７５が受動係合部８１の上縁から離れるので、ストッパ部材８は、ばね８４で下方へ引かれる。このとき、ストッパ部８３がガイド部材３のガイド面３２上にある間は、ガイド面３２上を摺動して収納箱４の移動を許容する。この状態で、収納箱４が引き出され、図５に示すように、ストッパ部材８が係合部３１上に来ると、ストッパ部８３が傾斜面３３を経て、係合凹部３４に落ち込んで収納箱４の前進を停止させる。一方、収納箱４が押し込まれて後退するときには、ストッパ部８３がいったん係合凹部３４へ落ち込むが、続いて傾斜面３３上を摺動することで、ストッパ部材８を非ロック位置へ押し上げて収納箱４の後退を許容する。
【００２０】
２つの収納箱４ａ、４ｂを格納部材２内へ格納する場合、図において後方に位置する収納箱４ｂを最初に格納部材２内へ押し込む。このとき、一方の手で固定ハンドル５を持ち、他方の手で起立状態の可動ハンドル６を持って、収納箱４ｂの後部を格納空間２３内へ挿入し、後部を格納部材２に支持する。ストッパ部材８は非ロック位置にあるので、挿入の妨げにはならない。可動ハンドル６から手を離し、収納箱４ｂをさらに押し込むと、可動ハンドル６が格納部材２の前縁に当接する。その後、可動ハンドル６が倒伏し、死点を超えて倒伏位置に保持され、ストッパ部材８は、ばね８４で下方へ引かれるが、ストッパ部８３がガイド面３２上を摺動することで、収納箱４の後退が許容される。次いで、図において前方に位置する収納箱４ａを、同様に格納部材２内へ押し込む。このとき、連結レバー７のフック部７３が収納箱４ｂの固定ハンドル５の係合部５２に係合し、２つの収納箱４ａ、４ｂが結合され、両収納箱４ａ、４ｂは一体として格納空間２３内の所定位置に格納される。
【００２１】
収納箱４を格納空間２３から引き出す場合には、前方の収納箱４ａの固定ハンドル５を片手で持って引くと、両収納箱４ａ、４ｂが一体に所定位置まで引き出される。図５に示すように、前方の収納箱４ａのストッパ部材８がガイド部材３の係合部３１に到達すると、ストッパ部８３が傾斜面３３を経て、係合凹部３４に落ち込み、収納箱４ａの前進をいったん阻止する。このため、収納箱４ａを一気に引き出して不用意に落下させるおそれがない。この状態で、可動ハンドル６が格納部材３から露出するので、図６に示すように、可動ハンドル６を引き起こして把持すると、連結レバー７が非連結位置へ回動してフック部７３が後方の収納箱４ｂの係合部５２から外れ、両収納箱４ａ、４ｂ間の連結が解かれると同時に、ストッパ部材８が引き上げられてストッパ部８３が係合凹部３４から外れるので、収納箱４ａの引き出しが可能となる。前方の収納箱４ａは、固定ハンドル５と可動ハンドル６を両手で持って格納部材２から安全に取り出すことができる。その後、後方の収納箱４ｂを同様に、取り出すことができる。
【符号の説明】
【００２２】
１    機器格納装置
２    格納部材
２１  底板
２２  天板
２３  格納空間
３    ガイド部材
３１  係合部
３２  ガイド面
３３  傾斜面
３４  係合凹部
４    収納箱
４ａ  前方の収納箱
４ｂ  後方の収納箱
５    固定ハンドル
５１  握り部
５２  結合部（結合ピン）
５３  ブラケット
６    可動ハンドル
６１  脚板部
６２  握り部
６３  駆動係合部（駆動ピン）
６４  枢ピン
６５  ストッパピン
７    連結レバー
７１  枢ピン
７２  受動係合部
７３  フック部
７４  ばね
７５  駆動係合部（係合ピン）
８    ストッパ部材
８１  受動係合部（係合開口）
８２  長孔
８３  ストッパ部
８４  ばね
９    支持ピン
【図１】
0005568617.tif 000002
【図２】
0005568617.tif 000003
【図３】
0005568617.tif 000004
【図４】
0005568617.tif 000005
【図５】
0005568617.tif 000006
【図６】
0005568617.tif 000007
【図７】
0005568617.tif 000008